(57)【要約】【課題】投影画像データと撮影画像データとをより容易に関連付けることができる情報処理システム、サーバ装置、情報処理方法及びプログラムを提供する。【解決手段】本発明の情報処理システムは、画像データを記憶する記憶部と、画像データの名称と保存場所とを表す情報を含むコードを生成するコード生成部と、画像データとコードとを合成して合成画像データを生成する合成部と、合成画像データを投影する投影部と、投影された合成画像データを撮影し、撮影画像データを取得する撮影部と、コードを読み取るコード読取り部と、画像データの名称に基づく名称の撮影画像データと、保存場所を表す情報とを受信し、記憶部の当該保存場所に撮影画像データを保存する受信制御部とを備える。【選択図】図１
2014178900.tif 000002
【特許請求の範囲】
【請求項１】
画像データを記憶する記憶部と、
前記画像データの名称と保存場所とを表す情報を含むコードを生成するコード生成部と、
前記画像データと前記コードとを合成して合成画像データを生成する合成部と、
前記合成画像データを投影する投影部と、
投影された前記合成画像データを撮影し、撮影画像データを取得する撮影部と、
前記コードを読み取るコード読取り部と、
前記画像データの前記名称に基づく名称の前記撮影画像データと、前記保存場所を表す情報とを受信し、前記記憶部の前記保存場所に前記撮影画像データを保存する受信制御部と
を備える情報処理システム。
【請求項２】
前記コード読取り部は、
前記合成画像データを撮影することにより前記コードを読み取る
請求項１に記載の情報処理システム。
【請求項３】
前記コード読取り部は、
前記撮影画像データを走査することにより前記コードを読み取る
請求項１に記載の情報処理システム。
【請求項４】
前記受信制御部は、
複数の前記撮影画像データを受信したときに、前記撮影画像データの名称、及び前記撮影画像の保存場所のうち少なくとも一方に基づいて前記複数の撮影画像データを複数の種類に分類し、分類された前記複数の撮影画像データを、前記種類毎に１データにして、前記記憶部の前記保存場所に保存する
請求項１乃至３のいずれか１項に記載の情報処理システム。
【請求項５】
前記コードは、
受信制御部のアドレス情報を更に含み、
前記受信制御部は、
前記撮影画像データの名称と前記撮影画像の保存場所とを表す情報を、通信に使用する前記アドレス情報から取得する
請求項１乃至４のいずれか１項に記載の情報処理システム。
【請求項６】
画像データを記憶する記憶部と、
前記画像データの名称と保存場所とを表す情報を含むコードを生成するコード生成部と、
前記画像データと前記コードとを合成して合成画像データを生成する合成部と、
前記画像データの前記名称に基づく名称の前記撮影画像データと、前記保存場所を表す情報とを受信し、前記記憶部の前記保存場所に前記撮影画像データを保存する受信制御部と
を備えるサーバ装置。
【請求項７】
画像データを記憶する記憶部を備えるサーバ装置の情報処理方法であって、
コード生成部が、前記画像データの名称と保存場所とを表す情報を含むコードを生成するステップと、
合成部が、前記画像データと前記コードとを合成して合成画像データを生成するステップと、
受信制御部が、前記画像データの前記名称に基づく名称の前記撮影画像データと、前記保存場所を表す情報とを受信するステップと、
受信制御部が、前記記憶部の前記保存場所に前記撮影画像データを保存するステップと
を含む情報処理方法。
【請求項８】
画像データを記憶する記憶部を備えるコンピュータを、
前記画像データの名称と保存場所とを表す情報を含むコードを生成するコード生成部と、
前記画像データと前記コードとを合成して合成画像データを生成する合成部と、
前記画像データの前記名称に基づく名称の前記撮影画像データと、前記保存場所を表す情報とを受信し、前記記憶部の前記保存場所に前記撮影画像データを保存する受信制御部
として機能させるためのプログラム。
【発明の詳細な説明】
【技術分野】
【０００１】
本発明は、情報処理システム、サーバ装置、情報処理方法及びプログラムに関する。
【背景技術】
【０００２】
会議やプレゼンテーションなどを行うときに、プロジェクターを使用してホワイトボードに画像を投影することが行われている。このとき、ホワイトボード上に投影された画像に、マーカーペンなどにより情報を追記することがある。そして、会議やプレゼンテーションの終了時などに、当該ホワイトボードをデジタルカメラなどで撮影し、撮影されたデータをパーソナルコンピュータなどに保存することが行われている。
【０００３】
本発明に関連する文献公知発明としては、特許文献１がある。特許文献１には、記憶媒体に記憶されたデータを変更することなく、当該データに注釈をつけたデータを別途作成する発明が開示されている。
【発明の概要】
【発明が解決しようとする課題】
【０００４】
しかしながら、従来の技術では、データを保存する際に、当該データの名称を付ける手間が生じていた。また、保存された当該データを、後から見つけづらい場合があった。また、システムによっては、保存されたデータの名称を後から変更できないなどの問題もあった。
【０００５】
本発明は、上記に鑑みてなされたものであって、投影画像データと撮影画像データとをより容易に関連付けることができる情報処理システム、サーバ装置、情報処理方法及びプログラムを提供することを目的とする。
【課題を解決するための手段】
【０００６】
上述した課題を解決し、目的を達成するために、本発明の情報処理システムは、画像データを記憶する記憶部と、前記画像データの名称と保存場所とを表す情報を含むコードを生成するコード生成部と、前記画像データと前記コードとを合成して合成画像データを生成する合成部と、前記合成画像データを投影する投影部と、投影された前記合成画像データを撮影し、撮影画像データを取得する撮影部と、前記コードを読み取るコード読取り部と、前記画像データの前記名称に基づく名称の前記撮影画像データと、前記保存場所を表す情報とを受信し、前記記憶部の前記保存場所に前記撮影画像データを保存する受信制御部とを備える。
【発明の効果】
【０００７】
本発明によれば、投影画像データと撮影画像データとをより容易に関連付けることができるという効果を奏する。
【図面の簡単な説明】
【０００８】
【図１】図１は、本実施の形態の情報処理システムの機能ブロックの一例を示す図である。
【図２】図２は、本実施の形態の情報処理システムのハードウェアの接続関係の一例を示す図である。
【図３】図３は、本実施の形態の情報処理システムのデータフローを説明するための図である。
【図４】図４は、本実施の形態の情報処理システムのアドレス情報の一例を示す図である。
【図５】図５は、本実施の形態の情報処理方法（データの投影方法）の一例を説明するためのフローチャートである。
【図６】図６は、本実施の形態の情報処理方法（データの保存方法）の一例を説明するためのフローチャートである。
【図７】図７は、本実施の形態のサーバ装置のハードウェア構成の一例を示す図である。
【発明を実施するための形態】
【０００９】
以下に添付図面を参照して、情報処理システム、サーバ装置、情報処理方法及びプログラムの実施の形態を詳細に説明する。図１は、本実施の形態の情報処理システム１００の機能ブロックの一例を示す図である。本実施の形態の情報処理システム１００は、サーバ装置１０、クライアント装置２０及びプロジェクター（投影部）３０を備える。ホワイトボード４０は、プロジェクター３０の投影面として使用される。サーバ装置１０は、受信制御部１１、ウェブページ生成部１２、データ管理部１３、合成部１４、コード生成部１５及び記憶部１６を備える。クライアント装置２０は、送信制御部２１、撮影部２２、コード読取り部２３、データ表示部２４及び記憶部２５を備える。当該クライアント装置２０は、例えば、スマートデバイスである。
【００１０】
データ表示部２４は、発表者の投影の開始操作に応じて、投影要求を受信する。データ表示部２４は、当該投影要求を受信すると、データ管理部１３に投影を指示する情報を送信する。データ管理部１３は、当該投影を指示する情報を受信すると、記憶部１６から、投影に使用する画像データを取得する。データ管理部１３は、当該画像データを合成部１４に送信する。また、データ管理部１３は、当該画像データの名称及び当該画像データが記憶されている記憶部１６の保存場所を示すパスをコード生成部１５に送信する。
【００１１】
コード生成部１５は、画像データの名称と保存場所とを表す情報を含むコードを生成する。例えば、当該コードはＱＲコード（登録商標）である。コード生成部１５は、当該コードを合成部１４に送信する。合成部１４は、データ管理部１３から受信した画像データとコード生成部１５から受信したコードとを合成し、合成画像データを生成する。データ管理部１３は、当該合成画像データをプロジェクター３０に送信する。なお、クライアント装置２０が、当該合成画像データをダウンロードして、クライアント装置２０から当該合成画像データをプロジェクター３０に送信してもよい。
【００１２】
プロジェクター３０は、当該合成画像データを、コードを含む投影画像としてホワイトボード４０に投影する。撮影部２２は、撮影者の撮影操作に応じて、投影画像を撮影し、撮影画像データを取得する。撮影部２２は、当該撮影画像データを記憶部２５に記憶する。また、コード読取り部２３は、撮影者の読み取り操作に応じて、投影画像に含まれるコードをコード画像として読み取る。例えば、コード読取り部２３は、合成画像データを撮影することによりコードを読み取る。また、コード読取り部２３は、撮影部２２が撮影した撮影画像データを走査することによりコードを読み取ってもよい。
【００１３】
送信制御部２１は、記憶部２５の撮影画像データをサーバ装置１０に送信するための制御を行う。例えば、送信制御部２１は、ｈｔｔｐ（ｓ）を利用して撮影画像データの投稿（アップロード）を行う。なお、送信制御部２１の通信方式は、ｈｔｔｐ（ｓ）に限られず、任意のプロトコルを利用してよい。ｈｔｔｐ（ｓ）を利用する場合は、送信制御部２１は、記憶部２５の撮影画像データをサーバ装置１０に投稿するためのウェブページを表示する。送信制御部２１は、撮影者が投稿するためのウェブページを表示するために、ウェブページ要求（ウェブページのファイルパスを含む）を受信制御部１１に送信する。なお、ウェブページのファイルパス（アドレス情報）の一部又は全部を、コード読取り部２３から読み取られた情報から取得してもよい。
【００１４】
受信制御部１１は、当該ウェブページ要求に含まれるファイルパスをウェブページ生成部１２に送信する。ウェブページ生成部１２は、当該ファイルパスにより指定されるウェブページを受信制御部１１に送信する。受信制御部１１は、当該ウェブページを送信制御部２１に送信する。送信制御部２１は、当該ウェブページを介した撮影者の投稿操作に応じて、撮影画像データを受信制御部１１に送信する。このとき、送信制御部２１は、当該撮影画像データの他に、画像データの名称（コード読取り部２３がコードから読み取った名称）に基づく当該撮影画像データの名称、及び当該撮影画像データの保存場所（コード読取り部２３がコードから読み取った保存場所）を受信する。受信制御部１１は、当該撮影画像データをデータ管理部１３に送信する。データ管理部１３は、当該撮影画像データを、受信制御部１１が受信した情報（名称及び記憶場所）に基づいて記憶部１６に記憶する。
【００１５】
図２は、本実施の形態の情報処理システム１００のハードウェアの接続関係の一例を示す図である。本実施の形態の情報処理システム１００は、サーバ装置１０、クライアント装置２０、プロジェクター３０、ＭＦＰ（Ｍｕｌｔｉ  Ｆｕｎｃｔｉｏｎ  Ｐｒｉｎｔｅｒ）５０及びモニター６０を備える。ホワイトボード４０には、プロジェクター３０が投影画像データを投影する。サーバ装置１０、クライアント装置２０、プロジェクター３０、ＭＦＰ５０及びモニター６０は、ネットワーク７０により互いに接続されている。
【００１６】
なお、ネットワーク７０の通信方式は、有線方式であっても無線方式であってもよい。また、ネットワーク７０は、有線方式及び無線方式を組み合わせて実現してもよい。なお、図１の説明では、サーバ装置１０は、合成画像データをプロジェクター３０により投影していたが、サーバ装置１０は、ＭＦＰ５０の表示部及びモニター６０に、合成部１４が合成した合成画像データを表示してもよい。また、情報処理システム１００は、クライアント装置２０、プロジェクター３０、ＭＦＰ５０及びモニター６０を、それぞれ複数備えていてもよい。例えば、クライアント装置２０を複数備え、複数のユーザーが同時にサーバ装置１０と通信してもよい。また、サーバ装置１０を、負荷分散などの理由により、複数台で構成してもよい。
【００１７】
図３は、本実施の形態の情報処理システム１００のデータフローを説明するための図である。クライアント装置２０は、サーバ装置１０に画像データの投影を指示する（ステップＳ１）。サーバ装置１０は、画像データと、画像データの名称と保存場所とを表す情報を含むコードとを合成し、合成画像データを生成する（ステップＳ２）。なお、図３の例では、画像データの名称と保存場所とを表す情報を、ＵＲＬ（Ｕｎｉｆｏｒｍ  Ｒｅｓｏｕｒｃｅ  Ｌｏｃａｔｏｒ）などのアドレス情報で表すものとする。
【００１８】
図４は、本実施の形態の情報処理システム１００のアドレス情報の一例を示す図である。図４の例では、画像データの名称が「ｆｉｌｅｎａｍｅ＝ａｂｃ１２３」により表わされている。また、保存場所は、「ｆｉｌｅｐａｔｈ＝ｄｉｒ」で表されている。なお、図４の例では、ｈｔｔｐのＧＥＴメソッドを利用している。しかしながら、撮影画像データの投稿に使用するメソッドは、ｈｔｔｐのＧＥＴメソッドに限られない。例えば、ＰＯＳＴメソッドを使用することにより、アドレス情報に保存場所（ファイルパス）及び名称（ファイル名）を含めなくてもよい。この場合は、コードには、投稿するサーバ装置１０（投稿するウェブサーバのディレクトリの情報など）を特定する情報を含めておき、撮影画像データの記憶部１６の保存場所（ファイルパス）及び名称（ファイル名）は、サーバ装置１０で管理してもよい。
【００１９】
図３に戻り、サーバ装置１０は、当該合成画像データをプロジェクター３０に送信する（ステップＳ３）。プロジェクター３０は、ホワイトボード４０に合成画像データを投影する（ステップＳ４）。クライアント装置２０は、ホワイトボード４０上の投影画像を撮影し、撮影画像データを取得する（ステップＳ５）。クライアント装置２０は、ホワイトボード４０上の投影画像の中のコードを読み取り、画像データの名称と保存場所とを表す情報を取得する（ステップＳ６）。クライアント装置２０は、サーバ装置１０に、コードから取得したアドレス情報を使用して、投稿ページ（ウェブページ）を要求する（ステップＳ７）。サーバ装置１０は、当該投稿ページを生成する（ステップＳ８）。クライアント装置２０は、サーバ装置１０から投稿ページを受信する（ステップＳ９）。クライアント装置２０は、ユーザーの操作により選択された撮影画像データを、当該投稿ページを介してサーバ装置に投稿する（ステップＳ１０）。
【００２０】
サーバ装置１０は、アドレス情報から取得した画像データの名称と保存場所とに基づいて、撮影画像データを保存する（ステップＳ１１）。例えば、サーバ装置１０は、撮影画像データを、画像データの名称をプレフィックス（接頭語）として有する名称にして、画像データの保存場所と同じ場所に保存する。例えば、図４の例では、最終的なファイルパスはｄｉｒ￥ａｂｃ１２３＿ＹＹＹＹＭＭＤＤＨＨＭＭＳＳ．ｊｐｇなどにする。なお、ＹＹＹＹＭＭＤＤＨＨＭＭＳＳは、保存時の日付時刻である。また、サーバ装置１０は、複数の撮影画像データを受信したときに、撮影画像データの名称、及び撮影画像の保存場所のうち少なくとも一方に基づいて複数の撮影画像データを複数の種類に分類してもよい。そして、サーバ装置１０は、分類された複数の撮影画像データを、種類毎に１データにして、記憶部１６に保存してもよい。例えば、サーバ装置１０は、複数の撮影画像データをマルチページＴＩＦＦとして保存し、ファイルパスをｄｉｒ￥ａｂｃ１２３＿ＹＹＹＹＭＭＤＤＨＨＭＭＳＳ．ｔｉｆなどにする。
【００２１】
図５は、本実施の形態の情報処理方法（データの投影方法）の一例を説明するためのフローチャートである。データ表示部２４は、発表者の操作（サーバ装置１０上の画像データを選択し、プロジェクター３０からの投影を指示する）に応じて、投影要求を送信する（ステップＳ１）。データ表示部２４は、当該画像データの投影指示をサーバ装置に送信する（ステップＳ２）。
【００２２】
データ管理部１３は、ステップＳ１でユーザーにより選択された記憶部１６の画像データを参照する（ステップＳ３）。コード生成部１５は、画像データの名称及び保存場所を示す情報（例えば、ファイルパス）を、データ管理部１３から受信する。そして、コード生成部１５は、クライアント装置２０から撮影画像ファイル投稿用のウェブページを開けるようにするため、画像ファイル投稿用のウェブページのアドレス情報を含むコードを生成する（ステップＳ４）。合成部１４は、当該コードと、ステップＳ１で選択された画像データとを合成し、合成画像データを生成する（ステップＳ５）。データ管理部１３は、当該合成画像データをプロジェクター３０に送信する（ステップＳ６）。プロジェクター３０は、当該合成画像データをホワイトボード４０に投影する（ステップＳ７）。
【００２３】
図６は、本実施の形態の情報処理方法（データの保存方法）の一例を説明するためのフローチャートである。撮影部２２は、投影画像を撮影し、撮影画像データを取得する。そして、撮影部２２は、当該撮影画像データを記憶部２５に保存する（ステップＳ１１）。コード読取り部２３は、投影画像に含まれるコードを読み取り、撮影画像データの投稿に使用するＵＲＬを取得する（ステップＳ１２）。送信制御部２１は、当該ＵＲＬを使用してサーバ装置１０にウェブページを要求する（ステップＳ１３）。
【００２４】
受信制御部１１は、ウェブページ生成部１２によりウェブページを生成し、クライアント装置２０に返信する（ステップＳ１４）。送信制御部２１は、ウェブページを介して記憶部２５に保存された撮影画像データを送信する（ステップＳ１５）。受信制御部１１は、クライアント装置２０から撮影画像データを受信する。そして、受信制御部１１は、データ管理部１３を介して当該撮影画像データを、ＵＲＬ（アドレス情報）から取得した画像データの名称と保存場所とに基づいて、記憶部１６に記憶する（ステップＳ１６）。
【００２５】
図７は、本実施の形態のサーバ装置１０のハードウェア構成の一例を示す図である。本実施の形態のサーバ装置１０は、制御装置７１、主記憶装置７２、補助記憶装置７３、表示装置７４、入力装置７５及び通信装置７６を備える。制御装置７１、主記憶装置７２、補助記憶装置７３、表示装置７４、入力装置７５及び通信装置７６は、バス７７を介して互いに接続されている。
【００２６】
制御装置７１は、補助記憶装置７３から主記憶装置７２に読み出されたプログラムを実行する。主記憶装置７２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリである。補助記憶装置７３は、例えば、ハードディスクやメモリカード等である。表示装置７４は、サーバ装置１０の状態等を表示する画面である。表示装置７４は、例えば、液晶ディスプレイ等である。入力装置７５は、サーバ装置１０を操作するためのインタフェースである。入力装置７５は、例えば、キーボードやマウス等である。通信装置７６は、ネットワークに接続するためのインタフェースである。
【００２７】
本実施の形態のサーバ装置１０で実行されるプログラムを、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記録媒体に記録し、コンピュータ・プログラム・プロダクトとして提供してもよい。また、本実施の形態のサーバ装置１０で実行されるプログラムを、インターネット等のネットワークに接続されたコンピュータ上に格納し、ネットワーク経由でダウンロードさせることにより提供してもよい。また、本実施の形態のサーバ装置１０で実行されるプログラムをダウンロードさせずに、インターネット等のネットワーク経由で提供、又は配布してもよい。また、本実施の形態のサーバ装置１０のプログラムを、ＲＯＭ等に予め組み込んで提供してもよい。
【００２８】
本実施の形態のサーバ装置１０で実行されるプログラムは、上述したサーバ装置１０の各機能ブロックのうち、プログラムとしても実現可能な機能ブロック（受信制御部１１、ウェブページ生成部１２、データ管理部１３、合成部１４及びコード生成部１５）を含むモジュール構成となっている。当該モジュールは、実際のハードウェアとしては、制御装置７１が上記記憶媒体からプログラムを読み出して実行することにより、上記各モジュールが主記憶装置７２上にロードされる。すなわち、上記各モジュールは、主記憶装置７２上に生成される。なお、サーバ装置１０の各機能ブロックの一部、又は全部を、プログラムにより実現せずに、ＩＣ（Ｉｎｔｅｇｒａｔｅｄ  Ｃｉｒｃｕｉｔ）等のハードウェアにより実現してもよい。
【符号の説明】
【００２９】
１０  サーバ装置
２０  クライアント装置
３０  プロジェクター
４０  ホワイトボード
５０  ＭＦＰ
６０  モニター
１１  受信制御部
１２  ウェブページ生成部
１３  データ管理部
１４  合成部
１５  コード生成部
１６  記憶部
２１  送信制御部
２２  撮影部
２３  コード読取り部
２４  データ表示部
２５  記憶部
７０  ネットワーク
７１  制御装置
７２  主記憶装置
７３  補助記憶装置
７４  表示装置
７５  入力装置
７６  通信装置
７７  バス
１００  情報処理システム
【先行技術文献】
【特許文献】
【００３０】
【特許文献１】特開２００４−１１８８３６号公報
【図１】
2014178900.tif 000003
【図２】
2014178900.tif 000004
【図３】
2014178900.tif 000005
【図４】
2014178900.tif 000006
【図５】
2014178900.tif 000007
【図６】
2014178900.tif 000008
【図７】
2014178900.tif 000009